(57)【要約】【課題】鍵を挿入した場合に、タンブラが想定以上に回動するようなことがなく、タンブラを正確かつ迅速に解錠位置まで移動させることができるシリンダー錠を提供する。【解決手段】シリンダー錠１０は、外筒１２と、この外筒１２に対して相対回転可能な内筒と、外筒１２に対する内筒の相対回転を禁止する施錠位置、および、外筒１２に対する内筒の相対回転を許可する解錠位置の間を少なくとも回動可能なタンブラと、を有して構成される。また、タンブラは、シリンダー錠１０の鍵４２によって所定方向に回動された後、この鍵４２によって前記所定方向の回動および該所定方向と反対方向の回動の両方が規制される。【選択図】図８
2016104926.tif 000002
【特許請求の範囲】
【請求項１】
外筒と、
前記外筒に対して相対回転可能な内筒と、
前記外筒に対する前記内筒の相対回転を禁止する施錠位置、および、前記外筒に対する前記内筒の相対回転を許可する解錠位置の間を少なくとも回動可能な１つまたは複数のタンブラと、を有して構成されるシリンダー錠であって、
前記タンブラのうちの少なくとも一つは、前記シリンダー錠の鍵によって所定方向に回動された後、該鍵によって前記所定方向の回動および該所定方向と反対方向の回動の両方が規制される、
ことを特徴とするシリンダー錠。
【請求項２】
外筒と、
前記外筒に対して相対回転可能な内筒と、
前記外筒に対する前記内筒の相対回転を禁止する施錠位置、および、前記外筒に対する前記内筒の相対回転を許可する解錠位置の間を少なくともスライド可能な１つまたは複数のタンブラと、を有して構成されるシリンダー錠であって、
前記タンブラのうちの少なくとも一つは、前記シリンダー錠の鍵によって所定方向にスライドされた後、該鍵によって前記所定方向のスライドおよび該所定方向と反対方向のスライドの両方が規制される、
ことを特徴とするシリンダー錠。
【請求項３】
請求項１または２に記載のシリンダー錠であって、
前記タンブラは、第１のタンブラ部材と第２のタンブラ部材を少なくとも含み、前記第１のタンブラ部材と前記第２のタンブラ部材との係合位置を変更することにより前記タンブラの前記解錠位置を変更可能である、
ことを特徴とするシリンダー錠。
【請求項４】
請求項１〜３のいずれかに記載のシリンダー錠であって、
前記タンブラのうちの少なくとも一つは、前記鍵の一方の側面によって前記所定方向の回動またはスライドが規制され、前記鍵の前記一方の側面に対向する他方の側面によって前記所定方向と反対方向の回動またはスライドが規制される、
ことを特徴とするシリンダー錠。
【請求項５】
請求項１〜３のいずれかに記載のシリンダー錠であって、
前記タンブラのうちの少なくとも一つは、前記鍵に刻まれたキー溝によって前記所定方向の回動および該所定方向と反対方向の回動の両方が規制される、
ことを特徴とするシリンダー錠。
【請求項６】
請求項１〜３のいずれかに記載のシリンダー錠であって、
前記タンブラのうちの少なくとも一つは、前記鍵に刻まれたキー溝によって前記所定方向の回動またはスライドが規制され、前記鍵の側面によって該所定方向と反対方向の回動またはスライドが規制される、
ことを特徴とするシリンダー錠。
【発明の詳細な説明】
【技術分野】
【０００１】
本発明は、タンブラを正確かつ迅速に解錠位置まで移動させることができるシリンダー錠に関する。
【背景技術】
【０００２】
従来、賃貸マンションやアパートなどで使用される錠前では、入居者が複数の鍵を複製している場合があるため、防犯上の理由から、入居者が入れ替わる度に、キーコードが異なる新しい錠前に交換する必要があった。しかしながら、入居者が入れ替わる度に錠前を交換したのでは、煩雑な交換作業が必要となる上に、費用負担が大きいといった問題点があった。
【０００３】
このような従来の問題点を解決するために、キーコードを変更することができるシリンダー錠が種々提案されている。例えば、特許文献１には、タンブラを第１のタンブラと第２のタンブラとの組合せで構成し、第１のタンブラと第２のタンブラの一方をシリンダー錠の径方向に回動させて両者の係合を解除し、両者の係合位置を変更することによって、キーコードを変更するシリンダー錠が開示されている。
【先行技術文献】
【特許文献】
【０００４】
【特許文献１】特許第３２１９５８１号公報
【発明の概要】
【発明が解決しようとする課題】
【０００５】
しかしながら、特許文献１に記載のシリンダー錠では、キーコードを変更するためには、弓形状のタンブラをシリンダー錠の径方向に大きく回動させる必要があるため、シリンダーの径方向に大きなスペースを設ける必要があり、シリンダー錠の外径寸法を小さくすることが難しいといった問題点があった。
【０００６】
また、キーの挿入によってタンブラを回動させる構造のため、例えば、キーコードの変更時に新たなキーコードのキーを勢いよく挿入したような場合に、タンブラが想定以上の角度まで回動し、誤ったキーコードが設定されてしまうおそれがあった。
【０００７】
本発明は、このような従来の問題点を解決するためになされたものであって、鍵を挿入した場合に、タンブラが想定以上に回動するようなことがなく、タンブラを正確かつ迅速に解錠位置まで移動させることができるシリンダー錠を提供することを目的とする。
【課題を解決するための手段】
【０００８】
本発明に係るシリンダー錠は、外筒と、前記外筒に対して相対回転可能な内筒と、前記外筒に対する前記内筒の相対回転を禁止する施錠位置、および、前記外筒に対する前記内筒の相対回転を許可する解錠位置の間を少なくとも回動可能なタンブラと、を有して構成されるシリンダー錠であって、前記タンブラは、前記シリンダー錠の鍵によって所定方向に回動された後、該鍵によって前記所定方向の回動および該所定方向と反対方向の回動の両方が規制される、ことを特徴とするシリンダー錠である。
【発明の効果】
【０００９】
本発明に係るシリンダー錠によれば、鍵を挿入した場合に、タンブラが想定以上に回動するようなことがなく、タンブラを正確かつ迅速に解錠位置まで移動させることができる。
【図面の簡単な説明】
【００１０】
【図１】シリンダー錠１０の一部を分解して示す分解斜視図である。
【図２】シリンダー錠１０を前方上側から見た外観斜視図である。
【図３】外筒１２を前方下側から見た外観斜視図である。
【図４】シリンダー錠１０から内筒ボディ１８および施解錠機構３０の一部を抜き出して前方上側から見た外観斜視図である
【図５】シリンダー錠１０から内筒ボディ１８および施解錠機構３０の一部を抜き出して後方下側から見た外観斜視図である。
【図６】外筒１２、ロッキングバー３８、タンブラ支持軸３６、内タンブラ３２、および外タンブラ３４の位置関係を示すための背面図である
【図７】施錠状態のシリンダー錠１０の断面を内筒テール２０側から見た断面図である。
【図８】解錠状態のシリンダー錠１０の断面を内筒テール２０側から見た断面図である。
【図９】キー４２、ロックプレート４４、スライドプレート４６、タンブラ支持軸３６、および外タンブラ３４の位置関係を示した外観斜視図である。
【図１０】キー４２、ロックプレート４４、スライドプレート４６、タンブラ支持軸３６、および外タンブラ３４の位置関係を示した側面図である。
【図１１】シリンダー錠１０の断面を内筒テール２０側から見た断面図であり、キーコード変更機構の動作の様子を時系列で示したものである。
【図１２】変形例１に係るシリンダー錠５０の断面を内筒テール側から見た断面図である。
【図１３】変形例２に係るシリンダー錠７０の断面を内筒テール側から見た断面図である。
【発明を実施するための形態】
【００１１】
以下、図面を用いて、本実施形態に係るシリンダー錠１０について詳細に説明する。
【００１２】
＜全体構成＞
最初に、図１および図２を用いて、シリンダー錠１０の全体構成について説明する。なお、図１は、シリンダー錠１０の一部を分解して示す分解斜視図であり、図２は、シリンダー錠１０を前方上側から見た外観斜視図である。
【００１３】
本実施形態に係るシリンダー錠１０は、外筒１２と、この外筒１２に回転可能に挿入される円筒形状の内筒１４（内筒キャップ１６、内筒ボディ１８、内筒テール２０）と、この内筒１４に収容される施解錠機構３０（内タンブラ３２、外タンブラ３４、タンブラ支持軸３６、ロッキングバー３８。図１において一部のみ図示）と、内筒１４に収容されるキーコード変更機構４０（タンブラ支持軸３６、ロックプレート４４、スライドプレート４６。図１において一部のみ図示）と、を有して構成されている。
【００１４】
なお、施解錠機構３０とキーコード変更機構４０は、説明の便宜上の分類であって、施解錠機構３０を構成する部材の一部がキーコード変更機構４０の部材を兼用する場合があり、キーコード変更機構４０を構成する部材の一部が施解錠機構３０の部材を兼用する場合がある。また、以降に示す各図面においては、説明の都合上、内タンブラ３２、外タンブラ３４、ディバイドプレート１８ｂ等の図示を一部省略している。
【００１５】
＜外筒＞
次に、図３を用いて、シリンダー錠１０の外筒１２について説明する。なお、図３は、外筒１２を前方下側から見た外観斜視図である。
【００１６】
本実施形態に係る外筒１２は、内筒１４を挿入可能な中空の内筒収容部１２ａと、後述するスライドプレート４６を所定位置に案内するための案内溝１２ｂと、を備えている。また、内筒収容部１２ａの内壁上側には、シリンダー錠１０の施錠時にロッキングバー３８（図１、図４等を参照）の一部を収容可能な第１ロッキングバー収容部１２ａ１と、シリンダー錠１０のキーコード解除時にロッキングバー３８の一部を収容可能な第２ロッキングバー収容部１２ａ２が外筒１２の軸方向一方側から他方側に亘って形成されている。
【００１７】
＜内筒＞
次に、上記図１、図２を再び参照して、シリンダー錠１０の内筒１４について説明する。本実施形態に係る内筒１４は、内筒ボディ１８と、この内筒ボディ１８の軸方向一方側（前方）に着脱可能な内筒キャップ１６と、内筒本体２０の軸方向他方側（後方）に着脱可能な内筒テール２０と、を有して構成されている。
【００１８】
内筒キャップ１６には、シリンダー錠１０の施解錠操作を行うためのキー４２が挿し込み可能なキー差込口１６ａと、キーコード変更機構４０を作動させるためのチェンジプレート（細長の金属片）が挿し込み可能なチェンジプレート挿入口１６ｂと、が形成されている。
【００１９】
また、内筒ボディ１８は、径方向両側に配置される湾曲板状の２枚のサイドプレート１８ａと、この２枚のサイドプレート１８ａに形成された複数のスリットの各々に固定配置される円盤状の複数枚のディバイドプレート１８ｂ（図１において一部のみ図示）と、を有して構成されている。
【００２０】
隣接する２枚のディバイドプレート１８ｂによって区画される各々の空間には、後述する施解錠機構３０を構成する一対の内タンブラ３２と外タンブラ３４が収容される。また、複数のディバイドプレート１８ｂの上方には、後述する施解錠機構３０を構成するロッキングバー３８が上下方向にスライド可能に配設され、その下方には、後述する施解錠機構３０を構成するタンブラ支持軸３６が軸方向にスライド可能に配設される。
【００２１】
また、内筒テール２０は、図示しない他の部材を施錠位置と解錠位置との間で移動させる出力軸として機能する部材である。
【００２２】
＜施解錠機構＞
次に、図４〜図６を用いて、シリンダー錠１０の施解錠機構３０について説明する。なお、図４は、シリンダー錠１０から内筒ボディ１８および施解錠機構３０の一部を抜き出して前方上側から見た外観斜視図であり、図５は、シリンダー錠１０から内筒ボディ１８および施解錠機構３０の一部を抜き出して後方下側から見た外観斜視図であり、図６は、外筒１２、ロッキングバー３８、タンブラ支持軸３６、内タンブラ３２、および外タンブラ３４の位置関係を示すための背面図である。
【００２３】
施解錠機構３０は、ディバイドプレート１８ｂの下端に突出形成された支持部１８ｂ１によって回動可能に支持された枠状体の内タンブラ３２と、この内タンブラ３２の上方に内タンブラ３２と噛合可能に配置された円盤状の外タンブラ３４と、複数の外タンブラ３４を回転可能に支持した状態で複数のディバイドプレート１８ｂに軸方向にスライド可能に配置された棒状のタンブラ支持軸３６と、複数のディバイドプレート１８ｂの上方に配置され、図示しないバネによって上方向（外筒１２側）に付勢された棒状のロッキングバー３８と、内タンブラ３２を施錠位置の方向（図７の矢印Ａ方向）に付勢する板バネ４１（図７、図８参照）と、を有して構成されている。
【００２４】
＜施解錠機構／内タンブラ＞
施解錠機構３０の内タンブラ３２は、枠状の本体部３２ａと、この本体部３２ａの上方に形成され、外タンブラ３４の外歯３４ｂと噛合する複数の外歯３２ｂと、本体部３２ａの下方に形成され、ディバイドプレート１８ｂの支持部１８ｂ１と係合する係合凹部３２ｃと、本体部３２ａの厚み方向に突出形成され、ディバイドプレート１８ｂの開口部１８ｂ２に係合する係合凸部３２ｄと、本体部３２ａの内方に形成された開口部からなるキー挿入孔３２ｅと、このキー挿入孔３２ｅから内方に向けて突出形成された第１キーセンス部３２ｆおよび第２キーセンス部３２ｇと、を有して構成されている。
【００２５】
この内タンブラ３２は、ディバイドプレート１８ｂの支持部１８ｂ１によって下方を支持されるとともに、上方に形成された係合凸部３２がディバイドプレート１８ｂの開口部１８ｂ２に係合される。このため、内タンブラ３２は、ディバイドプレート１８ｂの開口部１８ｂ２に案内されながら、ディバイドプレート１８ｂの支持部１８ｂ１を支点として左右方向に回動可能に構成されている。
【００２６】
＜施解錠機構／外タンブラ＞
施解錠装置３０の外タンブラ３４は、円盤状の本体部３４ａと、この本体部３４ａの下方に形成され、内タンブラ３２の外歯３２ｂと噛合する複数の外歯３４ｂと、本体部３４ａの上方に形成され、ロッキングバー３８の下方に形成された係合凸部３８ａと係合可能な係合凹部３４ｃと、を有して構成されている。
【００２７】
この外タンブラ３４は、タンブラ支持軸３６によって回転可能に支持されるとともに、下方に形成された外歯３４ｂが内タンブラ３２の外歯３２ｂと噛合っている。このため、外タンブラ３４は、内タンブラ３２の回動に同期して回転可能であり、回転角度に応じて係合凹部３４ｃの位置が変化するように構成されている。
【００２８】
＜施解錠機構の動作＞
次に、図７および図８を用いて、シリンダー錠１０の施解錠機構３０の動作について説明する。なお、図７は、施錠状態のシリンダー錠１０の断面を内筒テール２０側から見た断面図であり、図８は、解錠状態のシリンダー錠１０の断面を内筒テール２０側から見た断面図である。
【００２９】
図７に示す施錠状態は、内タンブラ３２のキー挿入孔３２ｅにキー４２（図８参照）が挿入されておらず、内タンブラ３２に板バネ４１からの付勢力だけが加えられている状態である。
【００３０】
この状態では、板バネ４１からの付勢力を受けた内タンブラ３２は、図７に示す矢印Ａ方向に回動され、この内タンブラ３２と噛合っている外タンブラ３４は、図７に示す矢印Ｂ方向に回転される。この外タンブラ３４の回転により、外タンブラ３４の係合凹部３４ｃが解錠位置（図８に示す位置）から施錠位置（図７に示す位置）に移動する。
【００３１】
外タンブラ３４の係合凹部３４ｃが施錠位置に移動している状態では、ロッキングバー３８の係合凸部３８ａは、外タンブラ３４の係合凹部３４ｃに係合することができず、ロッキングバー３８は、外筒１２の第１ロッキングバー収容部１２ｂ１から完全に退出することができない。このため、ロッキングバー３８は、ディバイドプレート１８ｂと外筒１２とに跨った状態となり、内筒１４は外筒１２に対して相対回転することができず、シリンダー錠１０は施錠状態となる。
【００３２】
なお、この例では、キー４２を挿入していない状態について説明したが、キーコードが合致しないキーを挿入した場合には、内タンブラ３２が回動可能であっても、外タンブラ３４の係合凹部３４ｃを解除位置に移動させることができないため、事情は同じである。
【００３３】
一方、図８に示す解錠状態は、内タンブラ３２のキー挿入孔３２ｅにキーコードが合致するキー４２が挿入され、内タンブラ３２が板バネ４１からの付勢力に逆らって回動している状態である。
【００３４】
キー４２が挿入された場合、内タンブラ３２の第２キーセンス部３２ｇがキー４２の側面によって押圧されるとともに、内タンブラ３２の第１キーセンス部３２ｆがキー４２のキー溝に進入する。
【００３５】
このとき、内タンブラ３２は、キー４２に押圧されて図８に示す矢印Ｃ方向に回動され、この内タンブラ３２と噛合っている外タンブラ３４は、図８に示す矢印Ｄ方向に回転されるが、挿入されたキー４２のキーコードが合致している場合には、外タンブラ３４の係合凹部３４ｃが施錠位置（図７に示す位置）から解錠位置（図８に示す位置）に移動する。
【００３６】
外タンブラ３４の係合凹部３４ｃが解錠位置に移動している状態では、ロッキングバー３８の係合凸部３８ａは、外タンブラ３４の係合凹部３４ｃに係合することが可能なため、キー４２を回すことにより、ロッキングバー３８はバネの付勢力に逆らって下降し、外筒１２の第１ロッキングバー収容部１２ａ１から退出してディバイドプレート１８ｂ内に移動する。このため、内筒１４は外筒１２に対して相対回転が可能となり、シリンダー錠１０は解錠状態となる。
【００３７】
このように、シリンダー錠１０では、キー４２を挿入することで内タンブラ３２が所定方向（図８に示す矢印Ｃ方向）に回動するが、キー４２がシリンダー錠１０に完全に挿入された状態では、内タンブラ３２の内壁がキー４２の一方の側面（この例では、左側面）に当接するため、内タンブラ３２はキー４２によって所定方向の回動が規制される。また、内タンブラ３２の第２キーセンス部３２ｇもキー４２の他方の側面（この例では、右側面）に当接するため、内タンブラ３２はキー４２によって所定方向とは反対方向の回動も規制される。
【００３８】
このような構成により、シリンダー錠１０では、キー４２を挿入した場合に、内タンブラ３２が想定以上に回動するようなことがなく、内タンブラ３２および外タンブラ３４を正確かつ迅速に解錠位置まで移動させることができる。
【００３９】
＜キーコード変更機構＞
次に、図９〜図１１を用いて、シリンダー錠１０のキーコード変更機構４０について説明する。なお、図９は、キー４２、ロックプレート４４、スライドプレート４６、タンブラ支持軸３６、および外タンブラ３４の位置関係を示した外観斜視図であり、図１０は、キー４２、ロックプレート４４、スライドプレート４６、タンブラ支持軸３６、および外タンブラ３４の位置関係を示した側面図である。また、図１１は、シリンダー錠１０の断面を内筒テール２０側から見た断面図であり、キーコード変更機構４０の動作の様子を時系列で示したものである。
【００４０】
シリンダー錠１０にキー４２を挿し込んだ状態で、チェンジプレート挿入口１６ｂ（図１、図２参照）にチェンジプレートを挿し込むと、チェンジプレートを介してスライドプレート４６が上方にスライドされ、このスライドプレート４６の一部が外筒１２の案内溝１２ｂ内に進入する（図１１（ｂ）参照）。
【００４１】
この状態でキー４２を時計方向に回すと、スライドプレート４６が案内溝１２ｂに案内されながら上方にスライドし（図１１（ｃ）参照）、このスライドプレート４６に押されたタンブラ軸３６が軸方向奥側にスライドされ、シリンダー錠１０の後方（内筒テール２０側）に押込まれる。そして、後方に押込まれたタンブラ軸３６は、内筒ボディ１８の前後に配置された２枚のロックプレート４４と結合する。
【００４２】
図１１（ｃ）に示す状態から、さらにキー４２を時計方向に回すと、第１ロッキングバー収容部１２ａ１から退出したロッキングバー３８が、再び第２ロッキングバー収容部１２ａ２内に進入する。また、スライドプレート４６が案内溝１２ｂの最上部に到達することで、このスライドプレート４６によって上方に持ち上げられたタンブラ軸３６と、このタンブラ軸３６に結合された前後２枚のロックプレート４４が一体となって内筒１４の径方向外側にスライドする（図１１（ｄ）参照）。
【００４３】
また、このタンブラ軸３６とロックプレート４４のスライドにより、タンブラ軸３６に支持されている外タンブラ３４の全てが内筒１４の径方向外側にスライドするため、外タンブラ３４の外歯３４ｂと内タンブラ３２の外歯３２ｂの係合が解除され、キーコードが解除（リセット）される（図１１（ｅ）参照）。
【００４４】
図１１（ｄ）、（ｅ）に示すキーコード解除位置でキー４２を引き抜き、新たなキーコードのキーを挿入すると、内タンブラ３２が新たなキーのキーコードの刻みに対応して回動する。そして、新たなキーを反時計方向に回して同図（ａ）に示す状態に戻すと、外タンブラ３４の外歯３４ｂと内タンブラ３２の外歯３２ｂが係合し、新たなキーコードが確定する。
【００４５】
以後、チェンジプレートが挿し込まれ、内筒１４がキーコード解除位置まで回動されない限り、キーコード変更機構４０が作動することがないため、外タンブラ３４の外歯３４ｂと内タンブラ３２の外歯３２ｂの係合が解除されることはない（キーコードが変更されることはない）。
【００４６】
上述のとおり、シリンダー錠１０では、キー４２がシリンダー錠１０に完全に挿入された状態では、内タンブラ３２はキー４２によって両方向の回動が規制されるため、キーコードの変更時に新たなキーコードのキーを勢いよく挿入したような場合に、内タンブラ３２が想定以上の角度まで回動し、誤ったキーコードが設定されてしまうような事態を確実に防止することができる。
【００４７】
以上説明したように、上記実施形態に係るシリンダー錠（例えば、シリンダー錠１０）は、外筒（例えば、外筒１２）と、前記外筒に対して相対回転可能な内筒（例えば、内筒１４）と、前記外筒に対する前記内筒の相対回転を禁止する施錠位置（例えば、図７に示す位置）、および、前記外筒に対する前記内筒の相対回転を許可する解錠位置（例えば、図８に示す位置）の間を少なくとも回動可能なタンブラ（例えば、内タンブラ３２）と、を有して構成されるシリンダー錠であって、前記タンブラは、前記シリンダー錠の鍵（例えば、キー４２）によって所定方向（例えば、図８に示す矢印Ｃ方向）に回動された後、該鍵によって前記所定方向の回動および該所定方向と反対方向（例えば、図７に示す矢印Ａ方向）の回動の両方が規制される、ことを特徴とするシリンダー錠である。
【００４８】
上記実施形態に係るシリンダー錠によれば、鍵を挿入した場合に、タンブラが想定以上に回動するようなことがなく、タンブラを正確かつ迅速に解錠位置まで移動させることができる。
【００４９】
また、前記タンブラは、第１のタンブラ部材（例えば、内タンブラ３２）と第２タンブラ部材（例えば、外タンブラ３４）を少なくとも含む複数のタンブラ部材の組合せで構成され、前記第１のタンブラ部材と前記第２のタンブラ部材との係合位置を変更することにより前記タンブラの前記解錠位置を変更可能であり、前記タンブラ部材（例えば、内タンブラ３２）は、前記シリンダー錠の鍵によって所定方向に回動された後、該鍵によって前記所定方向の回動および該所定方向と反対方向の回動の両方が規制されるものでもよい。
【００５０】
このような構成とすれば、シリンダー錠を分解することなくキーコードを変更することが可能になることに加えて、キーコードの変更時に新たなキーコードのキーを勢いよく挿入したような場合に、タンブラ（またはタンブラ部材）が想定以上の角度まで回動し、誤ったキーコードが設定されてしまうような事態を確実に防止することができる。
【００５１】
また、前記タンブラまたは前記タンブラ部材は、前記鍵の一方の側面（例えば、キー４２の左側面）によって前記所定方向の回動が規制され、前記鍵の前記一方の側面に対向する他方の側面（例えば、キー４２の右側面）によって前記所定方向と反対方向の回動が規制されるものでもよく、前記鍵に刻まれたキー溝によって前記所定方向の回動および該所定方向と反対方向の回動の両方が規制されるものでもよい。
【００５２】
このような構成とすれば、施解錠操作に用いるキーによってタンブラの回動を規制することができるため、タンブラの回動を規制するために新たな部材を追加する必要がなく、小型化や低コスト化を実現可能である。
【００５３】
なお、本発明の実施の形態に記載された作用および効果は、本発明から生じる最も好適な作用および効果を列挙したに過ぎず、本発明による作用および効果は、本発明の実施の形態に記載されたものに限定されるものではない。
【００５４】
したがって、例えば、上記実施形態では、タンブラを内タンブラ３２と外タンブラ３４の２つのタンブラ部材で構成したが、タンブラを１つのタンブラ部材で構成してもよいし、３つ以上のタンブラ部材で構成してもよい。また、タンブラ部材の形状も特に限定されない。
【００５５】
また、本発明に係るシリンダ錠は、キーコードの変換が可能なシリンダー錠に限定されるものではなく、キーコードが固定されたシリンダー錠であってもよい。また、キーコードの変換方法は上記実施形態で示した例に限定されない。
【００５６】
＜変形例１＞
図１２は、変形例１に係るシリンダー錠５０の断面を内筒テール側から見た断面図である。
【００５７】
この変形例１に係るシリンダ錠５０は、回転軸５２ａを中心として回動可能な第１内タンブラ５２と、この第１内タンブラ５２の外歯５２ｂと噛合可能であって第１内タンブラ５２の回動に同期して回転軸５４ａを中心として回転可能な第１外タンブラ５４と、回転軸５６ａを中心として回動可能な第２内タンブラ５６と、この第２内タンブラ５６の外歯５６ｂと噛合可能であって第１内タンブラ５６の回動に同期して回転軸５８ａを中心として回転可能な第２外タンブラ５８と、第１外タンブラ５４の外歯５４ｂおよび第２外タンブラ５８の外歯５８ｂと噛合可能であって第１外タンブラ５４および第２外タンブラ５８の回転に同期して時計方向または反時計方向に回転可能な第３外タンブラ６０と、を有して構成されている。
【００５８】
第１内タンブラ５２の一端には、第１キーセンス部５２ｃが突出形成されている。この第１キーセンス部５２ｃは、シリンダー錠５０のキー挿入孔にキー６２が挿入された場合に、キー６２の短手方向（厚み方向）一方側の側面６４に刻まれたキー溝６４ａに進入し、キー６２の挿入または退出に伴ってキー溝６４ａに沿って上下方向に揺動される。なお、図示はしないが、キー溝６４ａはキーコードに対応してキー６２の長手方向一方側から他端側に亘って蛇行するように刻まれており、その幅は、第１キーセンス部５２ｃの幅と略同じである。
【００５９】
また、第２内タンブラ５６の一端には、第２キーセンス部５６ｃが突出形成されている。この第２キーセンス部５６ｃは、シリンダー錠５０のキー挿入孔にキー６２が挿入された場合に、キー６２の短手方向（厚み方向）他方側の側面６６に刻まれたキー溝６６ａに進入し、キー６２の挿入または退出に伴ってキー溝６６ａに沿って上下方向に揺動される。なお、図示はしないが、キー溝６６ａはキーコードに対応してキー６２の長手方向一方側から他端側に亘って蛇行するように刻まれており、その幅は、第２キーセンス部５６ｃの幅と略同じである。
【００６０】
第１キーセンス部５２ｃがキー溝６４ａに案内されてキー溝６４ａの形状に沿って下方向（図に示す矢印Ｈ方向）に押し下げられると、第１内タンブラ５２は時計回りに回動され、この第１内タンブラ５２の回動に同期して第１外タンブラ５４が反時計回り（図に示す矢印Ｉ方向）に回転され、この第１外タンブラ５４の回転に同期して第３外タンブラ６０が時計回りに回転される。
【００６１】
また、第２キーセンス部５６ｃがキー溝６６ａに案内されてキー溝６６ａの形状に沿って上方向（図に示す矢印Ｊ方向）に押し上げられると、第２内タンブラ５６は時計回りに回動され、この第２内タンブラ５６の回動に同期して第２外タンブラ５８が反時計回り（図に示す矢印Ｋ方向）に回転され、この第２外タンブラ５８の回転に同期して第３外タンブラ６０が時計回りに回転される。
【００６２】
キー６２のキー溝６４ａ、６６ａは、一方のキー溝６４ａが第１キーセンス部５２ｃを下方向に案内する場合には、他方のキー溝６６ａが第２キーセンス部５２ｃを上方向（第１キーセンス部５２ｃの移動方向とは反対方向）に案内するように刻まれており、これにより、第３外タンブラ６０が時計回りに回転される。
【００６３】
一方、キー６２のキー溝６４ａ、６６ａは、一方のキー溝６４ａが第１キーセンス部５２ｃを上方向に案内する場合には、他方のキー溝６６ａが第２キーセンス部５２ｃを下方向（第１キーセンス部５２ｃの移動方向とは反対方向）に案内するように刻まれており、これにより、第３外タンブラ６０が反時計回りに回転される。
【００６４】
第３外タンブラ６０には、ロッキングバー３８の下方に形成された係合凸部３８ａと係合可能な係合凹部６０ｃが形成されている。第３外タンブラ６０の係合凹６０ａが施錠位置に移動している状態では、ロッキングバー３８の係合凸部３８ａは、第３外タンブラ６０の係合凹部６０ａに係合することができず、ロッキングバー３８は、外筒１２のロッキングバー収容部１２ａから完全に退出することができない。このため、ロッキングバー３８は、外筒１２と内筒１４とに跨った状態となり、内筒１４は外筒１２に対して相対回転することができず、シリンダー錠５０は施錠状態となる。
【００６５】
一方、第３外タンブラ６０の係合凹部６０ａが解錠位置に移動している状態（図１２に示す状態）では、ロッキングバー３８の係合凸部３８ａは、第３外タンブラ６０の係合凹部６０ａに係合することが可能なため、キー６２を回すことにより、ロッキングバー３８は図示しないバネの付勢力に逆らって下降し、外筒１２のロッキングバー収容部１２ａから退出して内筒１４内に移動する。このため、内筒１４は外筒１２に対して相対回転が可能となり、シリンダー錠５０は解錠状態となる。
【００６６】
この変形例１のシリンダー錠５０では、キー６２を挿入することで第１内タンブラ５２が所定方向（図に示す矢印Ｈ方向）に回動するが、キー６２がシリンダー錠５０に完全に挿入された状態では、第１キーセンス部５２ｃの下面が、キー６２のキー溝６４ａの下面６４ａ２に当接するため、第１内タンブラ５２はキー６２のキー溝６４ａによって所定方向の回動が規制される。また、第１キーセンス部５２ｃの上面が、キー６２のキー溝６４ａの上面６４ａ１に当接するため、第１内タンブラ５２はキー６２のキー溝６４ａによって所定方向とは反対方向の回動も規制される。
【００６７】
また、シリンダー錠５０では、キー６２を挿入することで第２内タンブラ５６が所定方向（図に示す矢印Ｊ方向）に回動するが、キー６２がシリンダー錠５０に完全に挿入された状態では、第２キーセンス部５６ｃの下面が、キー６２のキー溝６６ａの下面６６ａ２に当接するため、第２内タンブラ５６はキー６２のキー溝６６ａによって所定方向の回動が規制される。また、第２キーセンス部５６ｃの上面が、キー６２のキー溝６６ａの上面６６ａ１に当接するため、第２内タンブラ５６はキー６２のキー溝６６ａによって所定方向とは反対方向の回動も規制される。
【００６８】
このような構成により、シリンダー錠５０では、キー６２を挿入した場合に、第１、第２内タンブラ５２、５６が想定以上に回動するようなことがなく、第１、第２内タンブラ５２、５６、および第１〜第３外タンブラ５４、５８、６０を正確かつ迅速に解錠位置まで移動させることができる。
【００６９】
＜変形例２＞
図１３は、変形例２に係るシリンダー錠７０の断面を内筒テール側から見た断面図である。
【００７０】
この変形例２に係るシリンダ錠ー７０は、水平方向にスライド可能な内タンブラ７２と、この内タンブラ７２の外歯７２ａと噛合可能であって内タンブラ７２のスライドに同期して回転軸７４ａを中心として回転可能な第１外タンブラ７４と、この第１外タンブラ７４の第２外歯７４ｂと噛合可能であって第１外タンブラ７４の回転に同期して回転軸７６ａを中心として回転可能な第２外タンブラ７６と、この第２外タンブラ７６の外歯７６ｂと噛合可能であって第２外タンブラ７６の回転に同期して水平方向にスライド回転可能な第３外タンブラ７８と、を有して構成されている。
【００７１】
内タンブラ７２の長手方向一端側には、第１キーセンス部７２ｂが短手方向に突出形成されている。この第１キーセンス部７２ｂは、シリンダー錠７０のキー挿入孔にキー８２が挿入された場合に、キー８２の幅方向一方側に形成されたキー溝８２ａに進入し、キー８２の挿入または退出に伴ってキー溝８２ａに沿って水平方向にスライドされる。
【００７２】
また、内タンブラ７２の長手方向他端側には、第２キーセンス部７２ｃが短手方向に突出形成されている。この第２キーセンス部７２ｃは、シリンダー錠７０のキー挿入孔にキー８２が挿入された場合に、キー８２の幅方向他方側の側面８２ｂに押圧されて水平方向にスライドされる。
【００７３】
第１キーセンス部７２ｂがキー溝８２ａによって水平方向右側（図に示す矢印Ｌの方向）に案内されるとともに、第２キーセンス部７２ｃがキー８２の側面８２ｂによって水平方向右側に押圧されると、内タンブラ７２と噛合う第１外タンブラ７４は反時計回り（図に示す矢印Ｍ方向）に回転され、この第１外タンブラ７４の回転に同期して第２外タンブラ７６が時計回り（図に示す矢印Ｎ方向）に回転され、この第２外タンブラ７６の回転に同期して第３外タンブラ７８が水平方向右側（図に示す矢印Ｏの方向）にスライドされる。
【００７４】
第３外タンブラ７８には、ロッキングバー３８と係合可能な係合凹部７８ａが形成されている。第３外タンブラ７８の係合凹７８ａが施錠位置に移動している状態では、ロッキングバー３８は、第３外タンブラ７８の係合凹部７８ａに係合することができず、ロッキングバー３８は、外筒１２のロッキングバー収容部１２ａから完全に退出することができない。このため、ロッキングバー３８は、外筒１２と内筒１４とに跨った状態となり、内筒１４は外筒１２に対して相対回転することができず、シリンダー錠７０は施錠状態となる。
【００７５】
一方、第３外タンブラ７８の係合凹部７８ａが解錠位置に移動している状態（図１３に示す状態）では、ロッキングバー３８は、第３外タンブラ７８の係合凹部７８ａに係合することが可能なため、キー８２を回すことにより、ロッキングバー３８は図示しないバネの付勢力に逆らって下降し、外筒１２のロッキングバー収容部１２ａから退出して内筒１４内に移動する。このため、内筒１４は外筒１２に対して相対回転が可能となり、シリンダー錠７０は解錠状態となる。
【００７６】
この変形例２のシリンダー錠７０では、キー８２を挿入することで内タンブラ７２が所定方向（図に示す矢印Ｌ方向）にスライドするが、キー８２がシリンダー錠７０に完全に挿入された状態では、第１キーセンス部７２ｂが、キー８２のキー溝８２ａの内面に当接するため、内タンブラ７２はキー８２のキー溝８２ａによって所定方向のスライドが規制される。また、第２キーセンス部７２ｃが、キー８２の側面８２ｂに当接するため、内タンブラ７２はキー８２の側面８２ｂによって所定方向とは反対方向のスライドも規制される。
【００７７】
このような構成により、シリンダー錠７０では、キー８２を挿入した場合に、内タンブラ７２が想定以上にスライドするようなことがなく、内タンブラ７２、および第１〜第３外タンブラ７４、７６、７８を正確かつ迅速に解錠位置まで移動させることができる。
【産業上の利用可能性】
【００７８】
本発明に係るシリンダ錠は、賃貸マンションやアパートなどの錠前として適用することができる。
【符号の説明】
【００７９】
１０、５０、７０  シリンダー錠
１２  外筒
１２ａ  内筒収容部
１２ｂ  案内溝
１４  内筒
１６  内筒キャップ
１８  内筒ボディ
１８ａ  サイドプレート
１８ｂ  ディバイドプレート
２０  内筒テール
３０  施解錠機構
３２  内タンブラ
３２ａ  本体部
３２ｂ  外歯
３２ｃ  係合凹部
３２ｄ  係合凸部
３２ｅ  キー挿入孔
３２ｆ  第１キーセンス部
３２ｇ  第２キーセンス部
３４  外タンブラ
３４ａ  本体部
３４ｂ  外歯
３４ｃ  係合凹部
３６  タンブラ支持軸
３８  ロッキングバー
４０  キーコード変更機構
４１  板バネ
４２  キー
４４  ロックプレート
４６  スライドプレート
【図１】
2016104926.tif 000003
【図２】
2016104926.tif 000004
【図３】
2016104926.tif 000005
【図４】
2016104926.tif 000006
【図５】
2016104926.tif 000007
【図６】
2016104926.tif 000008
【図７】
2016104926.tif 000009
【図８】
2016104926.tif 000010
【図９】
2016104926.tif 000011
【図１０】
2016104926.tif 000012
【図１１】
2016104926.tif 000013
【図１２】
2016104926.tif 000014
【図１３】
2016104926.tif 000015